(57)【要約】【課題】  構成簡易で部材の種類を削減してコスト安価に形成し得ると共に、被固定物との位置関係を一定に保つことが可能な被固定物の壁材への固定具を提供する。【解決手段】  壁材の取付孔に嵌め込み可能な嵌合部を有する第１固定具と、取付孔に嵌挿可能で被固定物取付部を有する第２固定具と、を備え、第１固定具を取付孔に嵌め込んだ状態で第２固定具を取付孔内に位置させて第１固定具と第２固定具を互いに係止させると共に、第２固定具の被固定物取付部に被固定物を取り付けることを特徴とする。前記第１固定具が同一形状の複数の固定具で形成され、該複数の固定具が取付孔の周縁部に沿って嵌め込まれると共に、第２固定具が円筒形状に形成され複数の固定具の内側に嵌挿されて係止される。【選択図】  図１
2006300080.tif 000002
【特許請求の範囲】
【請求項１】
壁材の取付孔に嵌め込み可能な嵌合部を有する第１固定具と、前記取付孔に嵌挿可能で被固定物取付部を有する第２固定具と、を備え、
前記第１固定具を取付孔に嵌め込んだ状態で前記第２固定具を取付孔内に位置させて第１固定具と第２固定具を互いに係止させると共に、第２固定具の前記被固定物取付部に被固定物を取り付けることを特徴とする被固定物の壁材への固定具。
【請求項２】
前記第１固定具が同一形状の複数の固定具で形成され、該複数の固定具が前記取付孔の周縁部に沿って嵌め込まれると共に、前記第２固定具が円筒形状に形成され前記複数の固定具の内側に嵌挿されて係止されることを特徴とする請求項１に記載の被固定物の壁材への固定具。
【請求項３】
前記第１固定具は、嵌合部の壁裏当接部が取付孔の縁部の全周において壁材裏面に当接することを特徴とする請求項２に記載の被固定物の壁材への固定具。
【請求項４】
前記第１固定具と第２固定具が略同一形状に形成され、両固定具が前記取付孔の直径方向に対向する位置に嵌め込まれて互いに係止されることを特徴とする請求項１に記載の被固定物の壁材への固定具。
【発明の詳細な説明】
【技術分野】
【０００１】
本発明は、浴室の壁パネル等の所定位置に、握りバー等の被固定物を固定するために使用される被固定物の壁材への固定具に関する。
【背景技術】
【０００２】
従来、この種の固定具としては、例えば特許文献１に開示されている。この固定具は、軸を中心に回動可能に設けられた例えば４枚の壁裏当接板を有し、この壁裏当接板を積層状態で壁材に形成した取付孔に室内側から壁裏側に挿通して壁裏で十字状の拡開状態に設定することにより、４枚の壁裏当接板が壁裏にそれぞれ当接して取り付けられ、この固定具に握りバーが固定されるようになっている。
【特許文献１】特許第３５２９３１５号公報
【発明の開示】
【発明が解決しようとする課題】
【０００３】
しかしながら、このような固定具においては、十字状に拡開した４枚の壁裏当接板の壁裏への当接により、固定具に対する握りバーの垂直方向と水平方向の固定強度が所定に維持されるものの、４枚の壁裏当接板が順次回動して所定位置に維持される形状に構成されているため、各壁裏当接板の形状が全て異なり使用する部材の種類が増えると共に、積層状態と拡開状態に設定するための機構が複雑となり、固定具自体がコスト高となり易い。また、４枚の壁裏当接板が十字状に拡開して壁裏に当接して取り付けられる構造であるため、壁裏当接板と握りバーの取付部との位置関係を一定に保つことが難しい。
【０００４】
本発明は、このような事情に鑑みてなされたもので、その目的は、構成簡易で部材の種類を削減してコスト安価に形成し得ると共に、被固定物との位置関係を一定に保つことが可能な被固定物の壁材への固定具を提供することにある。
【課題を解決するための手段】
【０００５】
かかる目的を達成すべく、本発明のうち請求項１に記載の発明は、壁材の取付孔に嵌め込み可能な嵌合部を有する第１固定具と、前記取付孔に嵌挿可能で被固定物取付部を有する第２固定具と、を備え、前記第１固定具を取付孔に嵌め込んだ状態で前記第２固定具を取付孔内に位置させて第１固定具と第２固定具を互いに係止させると共に、第２固定具の前記被固定物取付部に被固定物を取り付けることを特徴とする。
【０００６】
また、請求項２に記載の発明は、前記第１固定具が同一形状の複数の固定具で形成され、該複数の固定具が前記取付孔の周縁部に沿って嵌め込まれると共に、前記第２固定具が円筒形状に形成され前記複数の固定具の内側に嵌挿されて係止されることを特徴とする。また、請求項３に記載の発明は、前記第１固定具が、嵌合部の壁裏当接部が取付孔の縁部の全周において壁材裏面に当接することを特徴とする。さらに、請求項４に記載の発明は、前記第１固定具と第２固定具が略同一形状に形成され、両固定具が前記取付孔の直径方向に対向する位置に嵌め込まれて互いに係止されることを特徴とする。
【発明の効果】
【０００７】
本発明のうち請求項１に記載の発明によれば、第１固定具の嵌合部を取付孔の周縁部に嵌め込んだ状態で第２固定具を取付孔内に位置させ、この第２固定具と第１固定具を互いに係止させて第２固定具の被固定物取付部に被固定物を取り付けるため、２種類の固定具により被固定物を壁材の所定位置に取り付けできて、構成簡易で部材の種類を削減させコスト安価な固定具を得ることができると共に、第２固定具の被固定物取付部と被固定物との位置関係を一定にして、被固定物の壁材に対する安定した取付状態を得ることができる。
【０００８】
また、請求項２に記載の発明によれば、請求項１に記載の発明の効果に加え、第１固定具が同一形状の複数の固定具で形成され、この複数の固定具が取付孔の周縁部に沿って嵌め込まれると共に、第２固定具が円筒形状に形成され複数の固定具の内側に嵌挿されて係止されるため、第１固定具の部材を共通化すると共にその構成を簡略化して一層安価な固定具を得ることができる。
【０００９】
また、請求項３に記載の発明によれば、請求項２に記載の発明の効果に加え、第１固定具の嵌合部の壁裏当接部が取付孔の縁部の全周において壁材裏面に当接するため、第１固定具を取付孔に一定の形態で強固に取り付けできて、被固定物の一層安定した取付状態を得ることができる。
【００１０】
さらに、請求項４に記載の発明によれば、請求項１に記載の発明の効果に加え、第１固定具と第２固定具が略同一形状に形成され、両固定具が取付孔の直径方向に対向する位置に嵌め込まれて互いに係止されるため、第１固定具と第２固定具の形状を略共通化すると共にその構成を簡略化して一層安価な固定具を得ることができる。
【発明を実施するための最良の形態】
【００１１】
以下、本発明の実施の形態を図面に基づいて詳細に説明する。
図１〜図５は、本発明に係わる固定具の第１実施形態を示し、図１がその第１固定具と第２固定具の斜視図、図２が両固定具を使用した握りバーの取付状態を示す縦断面図、図３が両固定具の壁材への取付方法の説明図、図４及び図５が第１固定具の変形例を示す背面図である。
【００１２】
図１に示すように、固定具１は、（ａ）（ｂ）に示す第１固定具２と、（ｃ）に示す第２固定具３とで構成されている。この両固定具２、３のうち第１固定具２は、後述する壁材６における円形状の取付孔７の内周縁に沿った円弧形状の底壁部２ａと、この底壁部２ａの幅方向の両端部に直角同一方向に突出状態で一体形成された壁表当接部２ｂ及び壁裏当接部２ｃとを有している。そして、この底壁部２ａ、壁表当接部２ｂ及び壁裏当接部２ｃにより、断面略コ字状の凹部からなる嵌合部４が形成されると共に、壁裏当接部２ｃはその外周縁が円弧形状の略扇形状に形成され、壁表当接部２ａは外周縁が直線状に形成されている。
【００１３】
また、底壁部２ａの中央位置には、外側方向（円弧の内側方向）に突出した係止突起５が形成されると共に、壁裏当接部２ｃの内面には両面テープ１４が貼着されている。そして、この第１固定具２は、底壁部２ａの円周長さが前記取付孔７の円周長さの略４分の１に設定されることで、同一形状の第１固定具２が一つの取付孔７に対して４個使用されるようになっている。
【００１４】
一方、前記第２固定具３は、底壁部３ａと周壁部３ｂを有して全体形状が有底円筒形状に形成され、底壁部３ａの内面中心位置には、先端ネジ部８ａが周壁部３ｂから所定寸法突出する状態で被固定物取付部としての取付ネジ８の基端部８ｂ（図２参照）が溶接等により固着されている。また、周壁部３ｂの底壁部３ａ側には、９０度間隔毎に軸方向に向けて合計４つの係止溝９が形成されている。この係止溝９は、底壁部３ａ側に開口する嵌入部９ａと、この嵌入部９ａの先端に直交方向（周壁部３ｂの周方向）に設けられた係止部９ｂとで構成され、この係止部９ｂに前述した第１固定具２の係止突起５が係止されるようになっている。
【００１５】
そして、このように構成された第１固定具２と第２固定具３は、図２に示すようにして壁材６に取り付けられ、これに握りバー１０が取り付けられるようになっている。すなわち、浴室の例えばドアが設けられる壁材６の所定高さ位置に穿設された円形状の取付孔７の周縁部に、４個の第１固定具２の嵌合部４がそれぞれ嵌め込まれて、各第１固定具２の壁表当接部２ｂが壁材表面６ａ（浴室内側で壁表）にそれぞれ当接し、壁裏当接部２ｃが壁材裏面６ｂ（浴室外側で壁裏）にそれぞれ当接した状態となっている。
【００１６】
また、この取付孔７の周縁部に嵌め込まれた４個の第１固定具２の中心部分に形成された嵌挿孔１１に第２固定具３が嵌挿されると共に、４個の第１固定具２の各係止突起５が第２固定具３の４個の係止溝９（係止部９ｂ）にそれぞれ係止されて、両固定具２、３が一体化されている。ここで、この両固定具２、３の壁材６の取付孔７への取付方法の一例を図３に基づいて説明する。
【００１７】
先ず、１個目の第１固定具２の嵌合部４を取付孔７の周縁部に嵌め込んで（ａ）に示す状態とし、この嵌め込み作業を４回繰り返すことで、取付孔７の周縁部の全周に４個の第１固定具２を嵌め込み、（ｂ）に示すように４個の第１固定具２の底壁部２ａ内側により嵌挿孔１１が形成された状態とする。この時、各第１固定具２の係止突起５は、嵌挿孔１１内に突出した状態となり、また壁裏当接部２ｃの内面が両面テープ１４によって壁材裏面６ｂに貼着された状態となる。なお、第１固定具２の取付孔７の周縁部への嵌め込みは、第１固定具２の嵌合部４の高さの低い壁表当接部２ｂを利用して斜めにした状態で、高さの高い壁裏当接部２ｃを浴室側から取付孔７内に挿入し、この壁裏当接部２ｃを壁裏側に位置させた状態で垂直に起こすことにより、比較的簡単に嵌め込むことができる。
【００１８】
４個の第１固定具２を壁材６の取付孔７に嵌め込んだら、（ｃ）に示すように第２固定具３を矢印イの如く、４個の第１固定具２の各底壁部２ａで形成された嵌挿孔１１内に嵌挿し、第２固定具３の各係止溝９を各第１固定具２の係止突起５に係止させる。この時、第２固定具３の各係止溝９と各第１固定具２の係止突起５の係止は、係止溝９の嵌入部９ａに係止突起５が挿入されて所定距離移動し、その後、（ｄ）に示すように、第２固定具３を周方向である矢印ロ方向に所定角度回転させることにより、係止溝９の係止部９ｂに係止突起５が位置して係止される。これにより、第２固定具３の各係止溝９と各第１固定具２の係止突起５とが係止されて、両固定具２、３が取付孔７内で一体化された状態となる。
【００１９】
そして、このように壁材６の取付孔７に一体化された状態で取り付けられた両固定具２、３のうちの、第２固定具３の取付ネジ８の浴室側に突出した先端ネジ部８ａに、図２に示すように、取付孔７より大径の取付板１２をナット１３の締め付け等で固定し、この取付板１２に握りバー１０の固定部１０ａが図示しないネジや嵌め込み等により固定される。これにより、握りバー１０が浴室側から取付板１２、第２の固定具３及び第１の固定具２を介して、壁材６の所定位置に取り付けられる。
【００２０】
つまり、この固定具１の場合、４個の第１固定具２と１個の第２固定具３を準備し、先ず、４個の第１固定具２の嵌合部４をその形状を利用して取付孔７の周縁部に順に嵌め込んで、各第１固定具２の底壁部２ａの内側に嵌挿孔１１を形成し、この嵌挿孔１１に第２固定具３を嵌挿して、第２固定具３の各係止溝９に各第１固定具２の係止突起５をそれぞれ係止させ、両固定具２、３を一体化して壁材６の取付孔７に取り付ける。そして、この状態で、第２固定具３の取付ネジ８に取付板１２を介して握りバー１０を固定することにより、壁材６の所定位置に握りバー１０が浴室側から取り付けできることになる。
【００２１】
なお、以上の説明では、第１固定具２を全て同一形状の４個の固定具で形成したが、例えば図４に示すように、同一形状の３個の第１固定具２で形成しても良く、この場合は、３個の各第１固定具２の壁裏当接部２ｃの形状等が、略１２０度の略扇形状に形成されることになる。また、以上の説明では、各第１固定具２の壁裏当接部２ｃを略扇形状に形成したが、例えば図５に示すように、各第１固定具２の壁裏当接部２ｃの形状を、取付孔７に取り付けられた全ての第１固定具２による外形形状が方形状となるように設定して、各壁裏当接部２ｃの壁材裏面６ｂへの当接面積をより大きく設定することもできる。
【００２２】
このように、上記実施形態の固定具１にあっては、第１固定具２の嵌合部４を取付孔１０の周縁部に嵌め込んだ状態で第２固定具３を嵌挿孔１１内に嵌挿し、この第２固定具３の係止溝９に第１固定具２の係止突起５を係止させて、第２固定具３の取付ネジ８に握りバー１０が固定される取付板１２を取り付けるため、２種類の固定具２、３により握りバー１０を壁材６の所定位置に取り付けできて、構成簡易で部材の種類を削減して固定具１自体をコスト安価に形成することができる。特に、４個の第１固定具２を全て同一形状に形成して共通化すると共にその構成を簡略化し、固定具１を一層安価に形成することができる。
【００２３】
また、４個の第１固定具２の壁表当接部２ｂと壁裏当接部２ｃを取付孔７周囲の壁材表面６ａや壁材裏面６ｂに当接させると共に、この４個の第１固定具２で形成される嵌挿孔１１に円筒状の第２固定具３が嵌挿・係止されて、この第２固定具３に握りバー１０が固定される取付板１２が取り付けられるため、第２固定具３の取付ネジ８と握りバー１０との位置関係が、施工の状態や施工現場の形態に係わらず常に一定となり、壁材６に対する握りバー１０の取付状態を一定にすることが可能となる。特に、壁裏当接部２ｃを略扇形状や方形状に形成することで、第１固定具２の壁材裏面６ｂへの当接面積を所定面積確保できると共に、壁裏当接部２ｃを取付孔１０の縁部の全周において壁材裏面６ｂに当接できるため、第１固定具２を取付孔１０に一定の形態で強固に取り付けできて、握りバー１０の一層安定した取付状態を得ることができる。
【００２４】
さらに、円筒状の第２固定具３を各第１固定具２で形成される嵌挿孔１１内に嵌挿して所定方向に回転させるだけで、係止溝９に係止突起５を係止できるため、両固定具２、３の係止作業を簡単に行うことができる。また、壁表当接部２ｂと壁裏当接部２ｃの高さ寸法が異なるように設定されているため、第１固定具２の取付孔７への嵌め込み作業を簡単かつスムーズに行うことができると共に、４個の第１固定具２の壁裏当接部２ｃの内面に貼着されている両面テープ１４によって、各第１固定具２を嵌め込んだ位置に確実に保持することができ、これらにより、握りバー１０の取付作業を簡単かつ効率的に行うことができて、結果として浴室としてのシステムバスルーム等の施工コストの低減化を図ること等が可能となる。  
【００２５】
図６〜図９は、本発明に係わる固定具の第２実施形態を示しており、以下、上記実施形態と同一部位には同一符号を付して説明する。この第２実施形態の固定具１の特徴は、第１固定具１５と第２固定具１６を略同一形状に形成し、この２つの固定具１５、１６により握りバー１０を壁材６に取り付けできるように構成した点にある。すなわち、図６（ａ）に示すように、第１固定具１５は、平板状の底壁部１５ａと、この底壁部１５ａの幅方向の両端部に直角同一方向に突出状態で一体形成された壁表当接部１５ｂと壁裏当接部１５ｃを有している。そして、この底壁部１５ａと壁表当接部１５ｂ及び壁裏当接部１５ｃにより、側面視でコ字状の嵌合部１７が形成されると共に、底壁部１５ａの外面には所定間隔を有して例えば１対の係止突起１８が突出形成されている。
【００２６】
一方、第２固定具１６も図６（ｂ）に示すように、第１固定具１５と略同様、平板状の底壁部１６ａと壁表当接部１６ｂ及び壁裏当接部１６ｃを有して側面視でコ字状の嵌合部１７を有する如く形成されると共に、底壁部１６ａには所定間隔で一対の係止孔１９が穿設されている。また、この第２固定具１６の壁表当接部１６ｂと壁裏当接部１６ｃには、幅方向の同一高さ位置に被固定物取付部を形成するネジ孔２０がそれぞれ形成されている。なお、この第１固定具１５と第２の固定具１６は、係止突起１８と係止孔１９及びネジ孔２０部分を除き同一形状に形成されている。そして、この第２固定具１６と第１固定具１５は、図７に示すように、両固定具１５、１６が壁材６の円形状の取付孔７に嵌め込まれた状態で互いに係止されて、取付板１２に固定された取付ネジ２１を第２固定具１６の一対のネジ孔２０に貫通する状態で螺合することにより、握りバー１０が壁材６の取付孔７に取り付けられている。
【００２７】
この両固定具１５、１６の取付孔７への取付方法の一例を図８に基づいて説明する。先ず、（ａ）に示すように取付孔７に第１固定具１５を挿入し、その嵌合部１７を取付孔７の周縁部に嵌め込み（ｂ）に示す状態とする。この時、第１固定具１５は、その底壁部１５ａの幅が取付孔７の内径より所定寸法小さく設定されることにより、図９に示すように、底壁部１５ａの幅方向の両端部が取付孔７の周縁部に当接して、壁表当接部１５ｂと壁裏当接部１５ｃが壁材表面６ａや壁材裏面６ｂに当接するようになっている。また、第１固定具１５の取付孔７への嵌め込みは、壁表当接部１５ｂと壁裏当接部１５ｂの高さ寸法の違いを利用して、斜めの状態で取付孔７に挿入すること等により行われ、この点は後述する第２固定具１６についても同様である。
【００２８】
第１固定具１５を取付孔７に嵌め込んだら、図８（ｃ）に示すように第２固定具１６を取付孔７に挿入し、（ｄ）に示すようにその嵌合部１７を取付孔７の周縁部に嵌め込む。そして、この状態で（ｅ）に示すように、第２固定具１６を第１固定具１５側に矢印ハの如く移動させて、（ｆ）に示すように底壁部１６ａの係止孔１９を第１固定具１５の係止突起１８に係止させる。これにより、第１固定具１５と第２固定具１６が互いに係止状態で一体化されて壁材６の取付孔７に取り付けられ、この時、両固定具１５、１６の壁表当接部１５ｂ、１６ｂと壁裏当接部１５ｃ、１６ｃは、図９に示すように、壁材６の取付孔７周囲の壁材表面６ａや壁材裏面６ｂに所定の面積を有して当接した状態となる。
【００２９】
そして、この状態の第２固定具１６の一対のネジ孔２０に前記取付板１２の取付ネジ２１を螺合させつつ貫通し、この取付板１２に握りバー１０の固定部１０ａを固定することにより、図７に示すように、握りバー１０が取付板１２、第２固定具１６及び第１固定具１５を介して壁材６の所定位置に取り付けられることになる。つまり、この固定具１においても、両固定具１５、１６の取付孔７周縁への嵌め込みと互いの係止によって取付孔７に取り付けられると共に、第２固定具１６に取付板１２を介して握りバー１０が固定されて、上記第１実施形態と同様の作用効果を得ることができる。
【００３０】
また、この第２実施形態の固定具１によれば、１個の第１固定具１５と１個の第２固定具１６で形成されることから、固定具１自体の部材数及び種類を削減できると共に、第１固定具１５と第２固定具１６が略同一形状であることから、両固定具１５、１６を例えばプレス加工等で簡単に形成できて、その構成を簡略化して製造コスト等を低減させ、より安価な固定具１を提供できることになる。この第２実施形態の両固定具１５、１６においても、例えば壁表当接部１５ｂ、１６ｂや壁裏当接部１５ｃ、１６ｃの外縁形状を円弧形状に形成したり、底壁部１５ａ、１６ａの幅を適宜に増減したりあるいは平板状ではなく円弧形状に形成する等、取付孔７の大きさや要求される取付強度等に応じて適宜の形状を採用することができる。
【００３１】
なお、上記各実施形態における、第１固定具と第２固定具の全体形状、係止突起や係止溝（係止孔）の個数、取付板の形状、取付孔の形状等も一例であって、例えば第１実施形態において、第１固定具２に複数の係止突起５を設けたり、両実施形態において第１固定具と第２固定具の係止突起と係止溝等を逆構成としたり、取付孔を矩形状とする等、本発明の各発明に係わる要旨を逸脱しない範囲において適宜に変更することができる。
【産業上の利用可能性】
【００３２】
本発明は、浴室の壁パネルへの固定に限らず、例えば洗面室（脱衣場）やトイレの壁材に取り付けられる握りバーにも適用できるし、握りバー以外のシャワー用スライドバー等の適宜の被固定物にも適用できる。
【図面の簡単な説明】
【００３３】
【図１】本発明に係わる固定具の第１実施形態を示す第１及び第２固定具の斜視図
【図２】同両固定具を使用した握りバーの取付状態を示す縦断面図
【図３】同両固定具の壁材への取付方法の説明図
【図４】同第１固定具の変形例を示す背面図
【図５】同第１固定具の他の変形例を示す背面図
【図６】本発明に係わる固定具の第２実施形態を示す第１及び第２固定具の斜視図
【図７】同両固定具を使用した握りバーの取付状態を示す縦断面図
【図８】同両固定具の壁材への取付方法の説明図
【図９】同その正面図及び背面図
【符号の説明】
【００３４】
１・・・固定具、２・・・第１固定具、２ａ・・・底壁部、２ｂ・・・壁表当接部、２ｃ・・・壁裏当接部、３・・・第２固定具、３ａ・・・底壁部、３ｂ・・・周壁部、４・・・嵌合部、５・・・係止突起、６・・・壁材、６ａ・・・壁材表面、６ｂ・・・壁材裏面、７・・・取付孔、８・・・取付ネジ、９・・・係止溝、９ａ・・・嵌入部、９ｂ・・・係止部、１０・・・握りバー、１０ａ・・・固定部、１１・・・嵌挿孔、１２・・・取付板、１５・・・第１固定具、１５ａ・・・底壁部、１５ａ・・・壁表当接部、１５ｃ・・・壁裏当接部、１６・・・第２固定具、１６ａ・・・底壁部、１６ｂ・・・壁表当接部、１６ｃ・・・壁裏当接部、１７・・・嵌合部、１８・・・係止突起、１９・・・係止孔、２０・・・ネジ孔、２１・・・取付ネジ。
【図１】
2006300080.tif 000003
【図２】
2006300080.tif 000004
【図３】
2006300080.tif 000005
【図４】
2006300080.tif 000006
【図５】
2006300080.tif 000007
【図６】
2006300080.tif 000008
【図７】
2006300080.tif 000009
【図８】
2006300080.tif 000010
【図９】
2006300080.tif 000011